(57)【要約】【課題】食器皿を積層した状態で、重労働を伴うことなく容易に開口部に投入または排出できる食器皿洗浄装置における食器皿案内体を提供すること。【解決手段】筐体３の上面に設けた食器皿案内体１５より筐体３の開口部４を介して投入または排出される食器皿洗浄装置１における食器皿案内体１５であって、前記食器皿案内体１５は、前記開口部４と略同径の円筒内面を有する２つの案内片１７ａ、１７ｂと、該両案内片１７ａ、１７ｂより鉛直方向に延びる複数のガイドバー１４とで構成され、かつ積層した食器皿２が前記食器皿案内体１５に対して前記筐体３の上面と略平行に横方向から投入排出できるように開口する開閉手段を有するように食器皿案内体１５を構成する。【選択図】  図３
2004209086.tif 000002
【特許請求の範囲】
【請求項１】
筐体の上面に設けた食器皿案内体より筐体の開口部を介して食器皿が投入または排出される食器皿洗浄装置における食器皿案内体であって、
前記食器皿案内体は、前記開口部と略同径の円筒内面を有する筒状体と、該筒状体より鉛直方向に延びる複数のガイドバーとで構成され、かつ積層した食器皿が前記食器皿案内体に対して前記筐体の上面と略平行に横方向から投入または排出できるように開口する開閉手段を有することを特徴とする食器皿洗浄装置における食器皿案内体。
【請求項２】
前記筒状体は一端が枢軸により揺動支持された２つの案内片から成り、前記開閉手段は該２つの案内片の他端が揺動運動により離反接触して、積層した食器皿が食器皿案内体に投入または食器皿案内体から排出される開口状態と、積層した食器皿が前記筐体に投入または筐体から排出される閉鎖状態の少なくとも２位置を取る請求項１に記載の食器皿洗浄装置における食器皿案内体。
【請求項３】
前記開閉手段はその閉鎖状態を維持するための開放阻止部が前記２つの案内片の他端に設けられている請求項２に記載の食器皿洗浄装置における食器皿案内体。
【請求項４】
前記筐体が積層した複数の食器皿を前記食器皿案内体に対して横方向から投入または排出するための誘導溝を備えている請求項１ないし３の何れかに記載の食器皿洗浄装置における食器皿案内体。
【発明の詳細な説明】
【０００１】
【発明の属する技術分野】
本発明は、筐体の上面に設けた食器皿案内体より筐体の開口部を介して投入または排出される食器皿洗浄装置における食器皿案内体に関する。
【０００２】
【従来の技術】
従来、寿司などの飲食物を載置する食器皿などを、人手を煩わすことなく自動的に洗浄する食器洗浄装置が使用されている。この種の食器洗浄装置は特許文献１に記載されているように、上面に食器皿の投入口と排出口とが形成された筐体内に、食器皿が洗浄部を通過するための搬送部が投入口から排出口に延びるように設けられ、投入口と排出口の下方には食器皿を挿通可能な案内筒が搬送部に向けて設置されている。そして、投入口と排出口の周囲には複数のガイドバーが等配状態に立設している。（例えば、特許文献１参照）
【０００３】
【特許文献１】
特開平２００２−８６０９１号公報（段落００１４−００１７、図２、４）
【０００４】
【発明が解決しようとしている課題】
ところで、このように構成された食器洗浄装置の開口部では、洗浄前及び洗浄後の食器皿は、ガイドバーに沿って上下方向に投入または排出せざるを得なかった。そのため作業者は食器皿をガイドバーの上方まで持ち上げて、ガイドバーの配置状態に合わせて投入または排出しており、重労働を伴う作業であった。
【０００５】
本発明は、上記事情に鑑みてなされたもので、食器皿を積層した状態で、重労働を伴うことなく容易にガイドバーに投入または排出できる食器皿洗浄装置における食器皿案内体を提供することを目的とする。
【０００６】
【課題を解決するための手段】
上記目的を達成するために、本発明の食器皿洗浄装置における食器皿案内体は、筐体の上面に設けた食器皿案内体より筐体の開口部を介して食器皿が投入または排出される食器皿洗浄装置における食器皿案内体であって、前記食器皿案内体は、前記開口部と略同径の円筒内面を有する筒状体と、該筒状体より鉛直方向に延びる複数のガイドバーとで構成され、かつ積層した食器皿が前記食器皿案内体に対して前記筐体の上面と略平行に横方向から投入または排出できるように開口する開閉手段を有することを特徴としている。
この特徴によれば、積層した複数の食器皿を食器皿案内体に対して筐体の上面に沿って横方向から投入または排出できるので、重い積層した食器皿を持ち上げる必要がなく、作業が楽である。
【０００７】
本発明の食器皿洗浄装置における食器皿案内体は、前記筒状体は一端が枢軸により揺動支持された２つの案内片から成り、前記開閉手段は該２つの案内片の他端が揺動運動により離反接触して、積層した食器皿が食器皿案内体に投入または食器皿案内体から排出される開口状態と、積層した食器皿が前記筐体に投入または筐体から排出される閉鎖状態の少なくとも２位置を取ることが好ましい。
このようにすれば、筒状体を揺動運動させるだけで食器皿の投入または排出態勢がとれるので、簡素な機構で食器皿案内体を構成できる。
【０００８】
本発明の食器皿洗浄装置における食器皿案内体は、前記開閉手段はその閉鎖状態を維持するための開放阻止部が前記２つの案内片の他端に設けられていることが好ましい。
このようにすれば、例えばマグネットやラッチ機構により開放阻止部を構成することで、確実に筐体下方の洗浄部に食器皿を投入及び洗浄部から排出することができる。
【０００９】
本発明の食器皿洗浄装置における食器皿案内体は、前記筐体が積層した複数の食器皿を前記食器皿案内体に対して横方向から投入または排出するための誘導溝を備えていることが好ましい。
このようにすれば、洗浄前の積層した食器皿を誘導溝に沿って食器皿案内体に向かって押し込むだけで、食器皿案内体まで難なく運ぶことができるばかりか、洗浄後の積層した食器皿を誘導溝に沿って食器皿案内体から引き出すだけで、難なく取り出すことができる。
【００１０】
【発明の実施の形態】
以下、本発明の実施例を図面に基づいて説明すると、先ず図１には本発明の第１実施形態としての食器皿洗浄装置の全体像を示す側断面図であり、図２は図１における食器皿投入口の拡大断面図であり、図３は食器皿洗浄装置における食器皿案内体の斜視図であり、図４（ａ）は食器皿洗浄装置の上面図であり、（ｂ）は（ａ）におけるＡ−Ａ断面図である。
【００１１】
先ず図１には、本発明の適用された食器皿洗浄装置が示されており、符号１は食器皿洗浄装置であって、この洗浄装置１は、密閉された略直方体の筐体３内の洗浄部に装置類が収容されており、洗浄部には食器皿２を一方から他方に搬送する搬送スクリュウ８が配設されている。
【００１２】
図１を用いて詳述すると、この洗浄装置１は、ケース状の筐体３の左側端部に有する開口部としての投入口４下部に設けられ、食器皿２を案内して供給するための投入案内筒５と、その直下に設けられ、投入案内筒５内の食器皿２を、下端のものより１枚ずつ挟持して落下させる１対の溝６付きの供給ローラ７と、その直下に左右方向を向いて平行に設けられ、上記供給ローラ７より順次１枚ずつ落下された食器皿２の外周縁部を螺旋溝により受支して右方に搬送する左右１対の搬送スクリュウ８と、搬送中の食器皿２の上下両面を払拭する上下１対の回転ブラシ９と、両回転ブラシ９と食器皿２との接触部に向かって水、温水又は洗浄液等を噴射する上下１対の洗浄ノズル１０と、食器皿２の上下両面に圧縮空気（又は温風圧）を吹き付けることにより乾燥させる上下１対のエアノズル１１と、搬送スクリュウ８の右側端と近接する側方に上下動可能に設けられ、乾燥後の食器皿２を上方に押し上げる押上げ排出装置１２と、筐体３の右側端部に設けられ、押上げ排出装置１２により押し上げられた食器皿２を順次１枚ずつ収容し、図示しない支持爪により下降を防止して上方の開口部としての排出口４’まで案内するとともに、筐体３の上面に立設した食器皿案内体１５’の複数のガイドバー１４’内にストックして積層するための排出案内筒１３を備えている。
【００１３】
投入口４近傍について更に詳しく述べると、図２に示すように、筐体３の天板１６に形成された開口部としての投入口４の上方に食器皿２を挿通する食器皿案内体１５が天板１６の上面に取り付けられている。食器皿案内体１５には、内部を通過する食器皿２を下方に案内するための複数のガイドバー１４が鉛直方向に延びており、これらガイドバー１４の内側には供給された複数の食器皿２が積載されている。
【００１４】
図２に示されるように、食器皿案内体１５の下方には、投入された複数の食器皿２を積載状態に支持するとともに、１枚づつ分離して搬送スクリュウ８上に落下する、周知の供給ローラ７が配置されており、食器皿案内体１５の４本のガイドバー１４に案内されて積載支持された複数の食器皿２が、供給ローラ７で１枚づつ分離され、搬送スクリュウ８に投下される。
【００１５】
筐体３の天板１６の投入口４に設けられた食器皿案内体１５について詳述すると、図３に示すように、食器皿案内体１５は投入口４と略同径の円筒内面を有する筒状体としての２つの案内片１７ａ、１７ｂを有し、案内片１７ａ、１７ｂの上面より鉛直方向に延びる複数のガイドバー１４とで構成されており、両案内片１７ａ、１７ｂは一端が互いに枢軸１８により揺動支持されている。両案内片１７ａ、１７ｂを揺動運動させることで食器皿２の投入態勢がとれるので、簡素な機構で食器皿案内体１５を構成できる。この両案内片１７ａ、１７ｂの他端には、閉鎖状態を維持するための開放阻止部としてのマグネット１９ａ、１９ｂが配置されている。
【００１６】
食器皿２を投入する際は、２つの案内片１７ａ、１７ｂの端部を手動にて揺動運動により離反させればよく、洗浄前の積層した食器皿２が投入される開口状態と成り、洗浄前の積層した食器皿２が食器皿案内体１５に対して筐体３の上面と略平行に横方向から投入できるようになり、そのため重い積層した食器皿２を持ち上げる必要がなく作業が楽になる。投入後には、案内片１７ａ、１７ｂの他端に設けられているマグネット１９ａ、１９ｂにより、案内片１７ａ、１７ｂの端部が接触すると閉鎖状態に成り、確実に筐体３の下方に食器皿２を投下することができるようになっている。
【００１７】
図４（ａ）に示すように、筐体３の上面には、洗浄前の積層した複数の食器皿２を食器皿案内体１５に対して横方向から投入するための誘導溝２０が備えられており、洗浄前の積層した食器皿２を誘導溝２０に沿って食器皿案内体１５に向かって押し込むだけで、食器皿案内体１５まで難なく運ぶことができるようになっている。
【００１８】
更に図４（ｂ）に示すように、誘導溝２０は筐体３の上面に２つのガード部材２１ａ、２１ｂを取り付けるだけで形成できるので、筐体３の形状を変化させずに、容易に誘導溝２０を設けることができるようになるばかりか、２つのガード部材２１ａ、２１ｂを備えていることで食器皿２からこぼれ落ちた残飯やゴミ等が投入口４に入り込むことを防ぐことができるようになっている。
【００１９】
上記実施形態は、筐体３の投入口４に設けられている食器皿案内体１５について説明してきたが、図１に示すように、排出口４’にも食器皿案内体１５’が設けられており、洗浄後の積層した食器皿２を排出する際についても同様に使用することができる。
【００２０】
食器皿２が排出される際には、食器皿２が排出装置１２により下方から持ち上げられることで、排出口４’から筐体３の外方に排出され、食器皿案内体１５’にストックされることになる。一定枚数の食器皿２が食器皿案内体１５’にストックされた後、食器皿案内体１５’を開放状態にして、積層された食器皿２を筐体３の上面と略平行に横方向から排出させることができるようになっている。
【００２１】
また、誘導溝２０についても食器皿２の投入時と同様に、食器皿２が排出される際に、洗浄後の積層した食器皿２を誘導溝２０に沿って食器皿案内体１５’から引き出すだけで、取り出すことができるので、食器皿２の排出作業を軽減することができるようになっている。
【００２２】
次に、第２実施形態に係る食器皿洗浄装置における食器皿案内体の構成につき、図５を参照して説明する。なお、上記実施形態と同一構成で重複する説明を省略する。図５（ａ）は第２実施形態における食器皿洗浄装置における食器皿案内体の斜視図であり、（ｂ）は食器皿案内体の開放阻止部の拡大断面図である。
【００２３】
図５（ａ）に示す、食器皿案内体２２の案内片２３ａ、２３ｂの端部には、開放阻止部としてのラッチ機構２４が設けられており、このラッチ機構２４は、（ｂ）の断面図に示すように、片方の案内片２３ｂの端部の上面にネジ２５によって固定されており、もう一方の案内片２３ａの端部の上面には、係合溝２７が設けられており、ラッチ機構２４の係合部２６が係合溝２７に係合できるようになっている。この係合部２６は、バネ２８によって常時下方に付勢されており、手動にてレバー２９を上方に引き上げることで、係合部２６が上方に引き上げられて、係合部２６が係合溝２７から外れるので、食器皿案内体２２の２つの案内片２３ａ、２３ｂが開放できるようになっている。
【００２４】
食器皿案内体２２を閉鎖させる際には、手動にてレバー２９を引き上げながら２つの案内片２３ａ、２３ｂを閉じ、レバー２９を離すとバネ２８により係合部２６が係合溝２７に係合するので、食器皿案内体２２が開放することを確実に防ぐことができるようになる。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
例えば、２つの案内片は合成樹脂等の弾力性を有する材質で構成されており、開放阻止部には、略フック状の係合部を一方の案内片の端部に形成させるとともに、他方の案内片の端部には係合溝を形成し、係合部が係合溝に係合させることで開放阻止部を構成させることもできる。
【００２７】
【発明の効果】
本発明は以下の効果を奏する。
（ａ）請求項１に記載の発明によれば、積層した複数の食器皿を食器皿案内体に対して筐体の上面に沿って横方向から投入または排出できるので、重い積層した食器皿を持ち上げる必要がなく、作業が楽である。
【００２８】
（ｂ）請求項２に記載の発明によれば、筒状体を揺動運動させるだけで食器皿の投入または排出態勢がとれるので、簡素な機構で食器皿案内体を構成できる。
【００２９】
（ｃ）請求項３に記載の発明によれば、例えばマグネットやラッチ機構により開放阻止部を構成することで、確実に筐体下方の洗浄部に食器皿を投入及び排出することができる。
【００３０】
（ｄ）請求項４に記載の発明によれば、洗浄前の積層した食器皿を誘導溝に沿って食器皿案内体に向かって押し込むだけで、食器皿案内体まで難なく運ぶことができるばかりか、洗浄後の積層した食器皿を誘導溝に沿って食器皿案内体から引き出すだけで、難なく取り出すことができる。
【図面の簡単な説明】
【図１】本発明の第１実施形態としての食器皿洗浄装置の全体像を示す側断面図である。
【図２】図１における食器皿投入口の拡大断面図である。
【図３】食器皿洗浄装置における食器皿案内体の斜視図である。
【図４】（ａ）は食器皿洗浄装置の上面図であり、（ｂ）は（ａ）におけるＡ−Ａ断面図である。
【図５】（ａ）は第２実施形態における食器皿洗浄装置における食器皿案内体の斜視図であり、（ｂ）は食器皿案内体の開放阻止部の拡大断面図である。
【符号の説明】
１              洗浄装置
２              食器皿
３              筐体
４              投入口
４’            排出口
５              投入案内筒
６              溝
７              供給ローラ
８              搬送スクリュウ
９              回転ブラシ
１０            洗浄ノズル
１１            エアノズル
１２            排出装置
１３            排出案内筒
１４、１４’    ガイドバー
１５、１５’    食器皿案内体
１６            天板
１７ａ、１７ｂ  案内片
１８            枢軸
１９ａ、１９ｂ  マグネット
２０            誘導溝
２１ａ、２１ｂ  ガード部材
２２            食器皿案内体
２３ａ、２３ｂ  案内片
２４            ラッチ機構
２５            ネジ
２６            係合部
２７            係合溝
２８            バネ
２９            レバー
【図１】
2004209086.tif 000003
【図２】
2004209086.tif 000004
【図３】
2004209086.tif 000005
【図４】
2004209086.tif 000006
【図５】
2004209086.tif 000007